【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
ワイヤレス通信デバイスであって、
ワイヤレス通信ネットワークを介して通信するように構成された移動局モデムと、
前記移動局モデムに連結され、動作を実行するためのプロセッサ実行可能命令で構成されたプロセッサとを備え、
前記動作は、
前記ワイヤレス通信ネットワーク上での直接グループ通信において互いに通信するワイヤレス通信デバイスの通信グループのメンバーとして通信することと、
前記通信グループの他のメンバーにグループ向けメディアを送る命令で前記ワイヤレス通信ネットワークを通じてグループ通信コンピュータデバイスに前記グループ向けメディアを選択的に送信することと、
前記ワイヤレス通信デバイスにおいて、前記グループ向けメディアが前記通信グループの少なくとも１つのメンバーワイヤレスデバイスによって受信されたという肯定応答を受信することを備える
ワイヤレス通信デバイス。
【請求項２】
前記プロセッサは、前記ワイヤレス通信ネットワーク上の少なくとも１つのワイヤレス通信デバイスからグループ向けメディアを受信することをさらに備える動作を実行するためのプロセッサ実行可能命令で構成されている、請求項１に記載のワイヤレス通信デバイス。
【請求項３】
前記プロセッサは、前記送信されたグループ向けメディアがグラフィックメディアであるような動作を実行するためのプロセッサ実行可能命令で構成されている、請求項１に記載のワイヤレス通信デバイス。
【請求項４】
前記プロセッサは、前記送信されたグループ向けメディアがストリーミングメディアであるような動作を実行するためのプロセッサ実行可能命令で構成されている、請求項１に記載のワイヤレス通信デバイス。
【請求項５】
前記プロセッサは、前記送信されたグループ向けメディアが前記ワイヤレス通信ネットワークにおいて別のコンピュータデバイス上の対話型セッションであるような動作を実行するためのプロセッサ実行可能命令で構成されている、請求項４に記載のワイヤレス通信デバイス。
【請求項６】
前記プロセッサは、前記通信グループの他のメンバーにグループ向けメディアを送信する命令で前記ワイヤレス通信ネットワーク上の前記グループ通信コンピュータデバイスに前記グループ向けメディア送信することは、前記通信グループの前記他のメンバーにハイパーリンクを送信する命令で前記ワイヤレス通信ネットワーク上の前記グループ通信コンピュータデバイスに前記ハイパーリンクを送信することを備え、前記ハイパーリンクは、データストアに記憶された前記グループ向けメディアへのリンクを提供するような動作を実行するためのプロセッサ実行可能命令で構成されている、請求項４に記載のワイヤレス通信デバイス。
【請求項７】
前記プロセッサは、前記グループ向けメディア上の前記グループ通信コンピュータデバイスに通信グループ識別データを送信することをさらに備える動作を実行するためのプロセッサ実行可能命令で構成されている、請求項１に記載のワイヤレス通信デバイス。
【請求項８】
前記プロセッサは、前記グループ向けメディアを送信するより前に、前記グループ通信コンピュータデバイスに通信グループのメンバーデータを要求することをさらに備える動作を実行するためのプロセッサ実行可能命令で構成されている、請求項１に記載のワイヤレス通信デバイス。
【請求項９】
前記プロセッサは、前記ワイヤレス通信デバイスが前記通信グループの他のワイヤレス通信デバイスとのグループ通信に関与すると、前記グループ通信コンピュータデバイスにグループ向けメディアを選択的に送信することが遂行されるような動作を実行するためのプロセッサ実行可能命令で構成されている、請求項１に記載のワイヤレス通信デバイス。
【請求項１０】
ワイヤレス通信ネットワーク上での直接グループ通信において互いに通信する複数のワイヤレス通信デバイス間のグループ通信におけるワイヤレス通信デバイスからのメディアを共有するための方法であって、
前記方法は、
前記通信グループの他のメンバーにグループ向けメディアを送信する命令で、前記ワイヤレス通信デバイスからグループ通信コンピュータデバイスに前記グループ向けメディアを送信することと、
前記ワイヤレス通信デバイスにおいて、前記グループ向けメディアが前記通信グループの少なくとも１つのメンバーワイヤレスデバイスによって受信されたという肯定応答を受信すること
を備える方法。
【請求項１１】
グループ向けメディアを送信することが、グラフィックメディアを送信することを備える、請求項１０に記載の方法。
【請求項１２】
グループ向けメディアを送信することが、ストリーミングメディアを送信することを備える、請求項１０に記載の方法。
【請求項１３】
グループ向けメディアを送信することが、前記ワイヤレス通信ネットワーク上の別のコンピュータデバイス上の対話型セッションへのリンクを送信することを備える、請求項１０に記載の方法。
【請求項１４】
前記通信グループの他のメンバーにグループ向けメディアを送信する命令で、前記ワイヤレス通信デバイスから前記グループ通信コンピュータデバイスに前記グループ向けメディアを送信することは、前記通信グループの前記他のメンバーにハイパーリンクを送信する命令で前記グループ通信コンピュータに前記ハイパーリンクを送信することを備える、請求項１３に記載の方法。
【請求項１５】
前記ワイヤレス通信デバイスで前記ワイヤレス通信ネットワーク上の別のワイヤレス通信デバイスからグループ向けメディアを受信することをさらに備える、請求項１０に記載の方法。
【請求項１６】
前記グループ向けメディアを送信するより前に、前記ワイヤレス通信デバイスから前記グループ通信コンピュータデバイスに通信グループ識別データを送信することをさらに備える、請求項１０に記載の方法。
【請求項１７】
前記グループ向けメディアを送信するより前に、前記グループ通信コンピュータデバイスに通信グループのメンバーデータを要求することをさらに備える、請求項１０に記載の方法。
【請求項１８】
前記ワイヤレス通信ネットワーク上の別のコンピュータデバイスから前記ワイヤレス通信デバイスに送信するように要求されたグループ向けメディアのプレビューを受信することをさらに備える、請求項１０に記載の方法。
【請求項１９】
ワイヤレス通信デバイスであって、
通信グループの他のメンバーへ前記グループ向けメディアを送信する命令で、ワイヤレス通信ネットワークを介してグループ通信コンピュータデバイスにグループ向けメディアを送信する手段と、
前記ワイヤレス通信デバイスにおいて、前記グループ向けメディアが前記通信グループの少なくとも１つのメンバーワイヤレスデバイスによって受信されたという肯定応答を受信する手段と
を備えるワイヤレス通信デバイス。
【請求項２０】
グループ向けメディアを送信する手段が、グラフィックメディアを送信する手段を備える、請求項１９に記載のワイヤレス通信デバイス。
【請求項２１】
グループ向けメディアを送信する手段が、ストリーミングメディアを送信する手段を備える、請求項１９に記載のワイヤレス通信デバイス。
【請求項２２】
グループ向けメディアを送信する手段が、前記ワイヤレス通信ネットワーク上の別のコンピュータデバイス上の対話型セッションへのリンクを送信する手段を備える、請求項１９に記載のワイヤレス通信デバイス。
【請求項２３】
前記通信グループの他のメンバーにグループ向けメディアを送信する命令で、前記ワイヤレス通信デバイスから前記グループ通信コンピュータデバイスに前記グループ向けメディアを送信する手段は、前記通信グループの前記他のメンバーにハイパーリンクを送信する命令で、前記グループ通信コンピュータデバイスに前記ハイパーリンクを送信する手段を備える、請求項２２に記載のワイヤレス通信デバイス。
【請求項２４】
前記ワイヤレス通信デバイスで前記ワイヤレス通信ネットワーク上の別のワイヤレス通信デバイスからグループ向けメディアを受信することをさらに備える、請求項１９に記載のワイヤレス通信デバイス。
【請求項２５】
前記グループ向けメディアを送信するより前に、前記ワイヤレス通信デバイスから前記グループ通信コンピュータデバイスに通信グループ識別データを送信する手段をさらに備える、請求項１９に記載のワイヤレス通信デバイス。
【請求項２６】
前記グループ向けメディアを送信するより前に、前記グループ通信コンピュータデバイスに通信グループのメンバーデータを要求する手段をさらに備える、請求項１９に記載のワイヤレス通信デバイス。
【請求項２７】
前記ワイヤレス通信ネットワーク上の別のコンピュータデバイスから前記ワイヤレス通信デバイスに送信するように要求されたグループ向けメディアのプレビューを受信する手段をさらに備える、請求項１９に記載のワイヤレス通信デバイス。
【請求項２８】
ワイヤレス通信デバイスのプロセッサに動作を実行させるように構成されたプロセッサ実行可能命令を記憶していく非一時的プロセッサ可読記憶媒体であって、
通信グループの他のメンバーにグループ向けメディアを送信する命令で、ワイヤレス通信ネットワークを介してグループ通信コンピュータデバイスに前記グループ向けメディア送信することと、
前記ワイヤレス通信デバイスにおいて、前記グループ向けメディアが前記通信グループの少なくとも１つのメンバーワイヤレスデバイスによって受信されたという肯定応答を受信すること
を備える非一時的プロセッサ可読記憶媒体。
【請求項２９】
前記記憶されたプロセッサ実行可能命令は、前記ワイヤレス通信デバイスに、グループ向けメディアを送信することがグラフィックメディアを送信することを備えるような動作を実行させるように構成されている、請求項２８に記載の非一時的プロセッサ可読媒体。
【請求項３０】
前記記憶されたプロセッサ実行可能命令は、前記ワイヤレス通信デバイスに、グループ向けメディアを送信することがストリーミングメディアを送信することを備えるような動作を実行させるように構成されている、請求項２８に記載の非一時的プロセッサ可読媒体。
【請求項３１】
前記記憶されたプロセッサ実行可能命令は、前記ワイヤレス通信デバイスに、グループ向けメディアを送信することが前記ワイヤレス通信ネットワーク上の別のコンピュータデバイス上の対話型セッションへのリンクを送信することを備えるような動作を実行させるように構成されている、請求項２８に記載の非一時的プロセッサ可読媒体。
【請求項３２】
前記記憶されたプロセッサ実行可能命令は、前記ワイヤレス通信デバイスに、前記通信グループの他のメンバーにグループ向けメディアを送信する命令で前記ワイヤレス通信デバイスから前記グループ通信コンピュータデバイスへ前記グループ向けメディアを送信することが前記通信グループの前記他のメンバーにハイパーリンクを送信する命令で前記グループ通信コンピュータに前記ハイパーリンクを送信することを備えるような動作を実行させるように構成されている、請求項３１に記載の非一時的プロセッサ可読媒体。
【請求項３３】
前記記憶されたプロセッサ実行可能命令は、前記ワイヤレス通信デバイスに、前記ワイヤレス通信デバイスで前記ワイヤレス通信ネットワーク上の別のワイヤレス通信デバイスからグループ向けメディアを受信することをさらに備える動作を実行させるように構成されている、請求項２８に記載の非一時的プロセッサ可読媒体。
【請求項３４】
前記記憶されたプロセッサ実行可能命令は、前記ワイヤレス通信デバイスに、前記グループ向けメディアを送信するより前に、前記ワイヤレス通信デバイスから前記グループ通信コンピュータデバイスに通信グループ識別データを送信することをさらに備える動作を実行させるように構成されている、請求項２８に記載の非一時的プロセッサ可読媒体。
【請求項３５】
前記記憶されたプロセッサ実行可能命令は、前記ワイヤレス通信デバイスに、前記グループ向けメディアを送信するより前に、前記グループ通信コンピュータデバイスに通信グループのメンバーデータを要求することをさらに備える動作を実行させるように構成されている、請求項２８に記載の非一時的プロセッサ可読媒体。
【請求項３６】
前記記憶されたプロセッサ実行可能命令は、前記ワイヤレス通信デバイスに、前記ワイヤレス通信ネットワーク上の別のコンピュータデバイスから前記ワイヤレス通信デバイスに送信するように要求されたグループ向けメディアのプレビューを受信することをさらに備える動作を実行させるように構成されている、請求項２８に記載の非一時的プロセッサ可読媒体。
【手続補正２】
【補正対象書類名】明細書
【補正対象項目名】００６０
【補正方法】変更
【補正の内容】
【００６０】
本発明を特にその好ましい実施形態を参照しながら図示し説明したが、以下の特許請求の範囲に示す本発明の範囲を逸脱することなく形態および詳細の様々な変更を行うことができることが、当業者には理解されよう。さらに、本発明の要素は単数形で説明または請求されていることがあるが、単数形に限定されることが明示的に述べられていない限り、複数形が企図される。
以下に、本願出願の当初の特許請求の範囲に記載された発明を付記する。
［１］
複数のワイヤレス通信デバイス間のグループ通信においてメディアを共有するためのシステムであって、
ワイヤレス通信ネットワーク上での直接グループ通信において互いに通信するワイヤレス通信デバイスの通信グループのメンバーである少なくとも１つのワイヤレス通信デバイスであって、グループ向けメディアを前記通信グループの他のメンバーに選択的に送信するように構成された少なくとも１つのワイヤレス通信デバイスと、
前記ワイヤレス通信ネットワーク上の通信グループに関する情報を記憶するように構成された少なくとも１つのグループ通信コンピュータデバイスであって、前記情報が１つまたは複数の通信グループの前記メンバーワイヤレス通信デバイスを含み、前記グループ通信コンピュータデバイスが、通信グループの送信側ワイヤレス通信デバイスからグループ向けメディアを選択的に受信し、前記グループ向けメディアを前記送信側ワイヤレス通信デバイスの前記通信グループの前記他のメンバーワイヤレス通信デバイスに送信するようにさらに構成された、少なくとも１つのグループ通信コンピュータデバイスと
を備えるシステム。
［２］
前記グループ通信コンピュータデバイスと通信しているデータストアをさらに備え、前記少なくとも１つのグループ通信コンピュータデバイスが前記グループ向けメディアを前記データストアに送信するように構成され、前記データストアが、前記少なくとも１つのワイヤレス通信デバイスからグループ指定されたメディアを受信し、前記グループ向けメディアの送信先である前記通信グループのメンバーが前記ワイヤレス通信ネットワーク上で記憶されたグループ向けメディアにアクセスすることを選択的に許可するように構成された、［１］に記載のシステム。
［３］
前記グループ向けメディアがグラフィックメディアである、［１］に記載のシステム。
［４］
前記グループ向けメディアがストリーミングメディアである、［１］に記載のシステム。
［５］
前記グループ向けメディアが、前記ワイヤレス通信ネットワーク上の別のコンピュータデバイス上の対話型セッションである、［２］に記載のシステム。
［６］
前記グループ通信コンピュータデバイスが、ハイパーリンクを前記通信グループの前記他のメンバーワイヤレス通信デバイスに送信するようにさらに構成され、前記ハイパーリンクが、前記データストアの前記記憶されたグループ向けメディアへのリンクを提供する、［２］に記載のシステム。
［７］
前記データストアが、前記通信グループの前記メンバーワイヤレスデバイスの各々との通信リンクを確立したときに、前記グループ向けメディアを前記通信グループの前記メンバーワイヤレスデバイスの各々に自動的に送信するように構成された、［２］に記載のシステム。
［８］
前記ワイヤレス通信デバイスが、通信グループ識別データを前記グループ通信コンピュータデバイスに送信するようにさらに構成され、グループ通信デバイスが、前記グループ向けメディアを前記通信グループ識別データ中で識別された前記メンバーワイヤレス通信デバイスに送信するようにさらに構成された、［１］に記載のシステム。
［９］
ワイヤレス通信デバイスがグループ向けメディアを送信するより前に、前記ワイヤレス通信デバイスが、前記グループ通信コンピュータデバイスに通信グループのメンバーデータを要求するようにさらに構成され、前記グループ通信コンピュータデバイスが、通信グループ識別データを前記要求側ワイヤレス通信デバイスに送信するようにさらに構成された、［１］に記載のシステム。
［１０］
前記ワイヤレス通信デバイスが前記通信グループの前記メンバーワイヤレス通信デバイスとのグループ通信に関与し、前記ワイヤレス通信デバイスが前記グループ通信中にグループ向けメディアを送信するようにさらに構成された、［１］に記載のシステム。
［１１］
前記グループ通信コンピュータデバイスが、前記送信側ワイヤレス通信デバイスから受信したグループ向けメディアのタイプに基づいて、前記グループ向けメディアを前記データストアに送信すべきかどうかを判断するようにさらに構成された、［２］に記載のシステム。
［１２］
前記グループ通信コンピュータデバイスが、前記送信側ワイヤレス通信デバイスから受信したグループ向けメディアのサイズに基づいて、前記グループ向けメディアを前記データストアに送信すべきかどうかを判断するようにさらに構成された、［２］に記載のシステム。
［１３］
前記通信グループの前記メンバーワイヤレスデバイスのうちの少なくとも１つが前記グループ向けメディアを受信すると、前記グループ通信コンピュータデバイスが、前記通信グループの少なくとも１つのメンバーワイヤレス通信デバイスが前記グループ向けメディアを受信したという肯定応答を、前記グループ向けメディアを送信した前記ワイヤレス通信デバイスに送信するように構成された、［１］に記載のシステム。
［１４］
前記グループ通信コンピュータデバイスが、前記グループ向けメディアのプレビューを、前記グループ向けメディアの送信先である前記通信グループのメンバーワイヤレス通信デバイスに送信するようにさらに構成された、［１］に記載のシステム。
［１５］
ワイヤレス通信ネットワーク上で選択的に通信するワイヤレス通信デバイスであって、前記ワイヤレス通信デバイスがワイヤレス通信ネットワーク上での直接グループ通信において互いに通信するワイヤレス通信デバイスの通信グループのメンバーであり、グループ向けメディアが前記通信グループの他のメンバーに送信されるように、前記グループ向けメディアを前記ワイヤレス通信ネットワーク上のグループ通信コンピュータデバイスに選択的に送信するように構成されたワイヤレス通信デバイス。
［１６］
前記ワイヤレス通信ネットワーク上の少なくとも１つのワイヤレス通信デバイスからグループ向けメディアを受信するようにさらに構成された、［１５］に記載のデバイス。
［１７］
前記送信されたグループ向けメディアがグラフィックメディアである、［１５］に記載のデバイス。
［１８］
前記送信されたグループ向けメディアがストリーミングメディアである、［１５］に記載のデバイス。
［１９］
前記送信されたグループ向けメディアが前記ワイヤレス通信ネットワーク上の別のコンピュータデバイス上の対話型セッションである、［１８］に記載のデバイス。
［２０］
ハイパーリンクを前記通信グループの前記他のメンバーワイヤレス通信デバイスに送信するようにさらに構成され、前記ハイパーリンクが、データストアの記憶されたグループ向けメディアへのリンクを提供する、［１８］に記載のデバイス。
［２１］
グループ通信デバイスが前記グループ向けメディアを前記ワイヤレス通信デバイスに送信するように、通信グループ識別データをグループ通信コンピュータデバイスに送信するようにさらに構成された、［１５］に記載のデバイス。
［２２］
グループ向けメディアを送信するより前に、前記ワイヤレス通信デバイスが、前記グループ通信コンピュータデバイスに通信グループのメンバーデータを要求するようにさらに構成された、［１５］に記載のデバイス。
［２３］
前記ワイヤレス通信デバイスが前記通信グループの前記メンバーワイヤレス通信デバイスとのグループ通信に関与し、前記ワイヤレス通信デバイスが前記グループ通信中にグループ向けメディアを送信するようにさらに構成された、［１５］に記載のデバイス。
［２４］
ワイヤレス通信ネットワークを介して１つまたは複数のワイヤレス通信デバイスにアクセス可能なグループ通信コンピュータデバイスであって、通信グループのメンバーワイヤレス通信デバイスに関する情報を記憶するように構成され、通信グループの送信側ワイヤレス通信デバイスからグループ向けメディアを選択的に受信し、前記グループ向けメディアを前記送信側ワイヤレス通信デバイスの前記通信グループの前記他のメンバーワイヤレス通信デバイスに送信するようにさらに構成されたグループ通信コンピュータデバイス。
［２５］
データストアと通信し、前記グループ向けメディアを前記データストアに送信するようにさらに構成され、前記記憶されたグループ向けメディアのうちの前記グループ向けメディアについて前記通信グループのメンバーに通知するようにさらに構成された、［２４］に記載のデバイス。
［２６］
前記グループ向けメディアが前記ワイヤレス通信ネットワーク上の別のコンピュータデバイス上の対話型セッションであり、前記グループ通信デバイスが、前記通信グループの前記メンバーワイヤレス通信デバイスの前記対話型セッションへのアクセスを制御するように構成された、［２４］に記載のデバイス。
［２７］
前記グループ通信コンピュータデバイスが、ハイパーリンクを前記通信グループの前記他のメンバーワイヤレス通信デバイスに送信するようにさらに構成され、前記ハイパーリンクが、前記データストアの前記記憶されたグループ向けメディアへのリンクを提供する、［２５］に記載のデバイス。
［２８］
通信グループ識別データを、その通信グループ中のメンバーである要求側ワイヤレス通信デバイスに送信するようにさらに構成された、［２４］に記載のデバイス。
［２９］
前記ワイヤレス通信デバイスが前記通信グループの前記メンバーワイヤレス通信デバイスとのグループ通信に関与し、前記グループ通信コンピュータデバイスが前記グループ通信中にグループ向けメディアを送信するようにさらに構成された、［２４］に記載のデバイス。
［３０］
前記送信側ワイヤレス通信デバイスから受信したグループ向けメディアのタイプに基づいて、前記グループ向けメディアを前記データストアに送信すべきかどうかを判断するようにさらに構成された、［２５］に記載のデバイス。
［３１］
前記送信側ワイヤレス通信デバイスから受信したグループ向けメディアのサイズに基づいて、前記グループ向けメディアを前記データストアに送信すべきかどうかを判断するようにさらに構成された、［２５］に記載のデバイス。
［３２］
前記グループ向けメディアのプレビューを、前記グループ向けメディアの送信先である前記通信グループの前記メンバーワイヤレス通信デバイスのうちの少なくとも１つに送信するようにさらに構成された、［２５］に記載のデバイス。
［３３］
ワイヤレス通信ネットワーク上の複数のワイヤレス通信デバイス間のグループ通信においてメディアを共有するための方法であって、
ワイヤレス通信デバイスから前記ワイヤレス通信デバイスの通信グループの他のメンバーに送信されたグループ向けメディアをグループ通信コンピュータデバイスで受信することであって、前記ワイヤレス通信デバイスが、ワイヤレス通信ネットワーク上での直接グループ通信において互いに通信するワイヤレス通信デバイスの通信グループのメンバーであり、前記グループ通信コンピュータデバイスが、１つまたは複数の通信グループの前記メンバーワイヤレス通信デバイスを含む情報を記憶する、受信することと、
前記グループ向けメディアを前記グループ通信コンピュータデバイスから前記送信側ワイヤレス通信デバイスの前記通信グループの前記他のメンバーワイヤレス通信デバイスのうちの１つまたは複数に送信することと
を備える方法。
［３４］
データストアが前記グループ通信コンピュータデバイスと通信しており、
前記グループ向けメディアを前記少なくとも１つのグループ通信コンピュータデバイスから前記データストアに送信することと、
前記データストアで前記少なくとも１つのワイヤレス通信デバイスからグループ指定されたメディアを受信することと、
前記グループ向けメディアの送信先である前記通信グループのメンバーワイヤレス通信デバイスが前記ワイヤレス通信ネットワーク上で前記記憶されたグループ向けメディアにアクセスすることを選択的に許可することと
をさらに備える、［３３］に記載の方法。
［３５］
前記グループ向けメディアがメンバーワイヤレス通信デバイスを前記ワイヤレス通信ネットワーク上の別のコンピュータデバイス上の対話型セッションに導く、［３３］に記載の方法。
［３６］
グループ向けメディアの前記送信が、ハイパーリンクを前記通信グループの前記他のメンバーワイヤレス通信デバイスに送信することであり、前記ハイパーリンクが、前記データストアの前記記憶されたグループ向けメディアへのリンクを提供する、［３４］に記載の方法。
［３７］
通信グループ識別データを前記ワイヤレス通信デバイスから前記グループ通信コンピュータデバイスに送信することと、
前記グループ向けメディアを前記グループ通信デバイスから前記通信グループ識別データ中で識別された前記メンバーワイヤレス通信デバイスに送信することと
をさらに備える、［３３］に記載の方法。
［３８］
ワイヤレス通信デバイスがグループ向けメディアを送信するより前に、前記ワイヤレス通信デバイスが前記グループ通信コンピュータデバイスに通信グループのメンバーデータを要求し、通信グループ識別データを前記グループ通信コンピュータデバイスから前記要求側ワイヤレス通信デバイスに送信することをさらに備える、［３３］に記載の方法。
［３９］
前記ワイヤレス通信デバイスが前記通信グループの前記メンバーワイヤレス通信デバイスとのグループ通信に関与し、前記グループ通信中に前記ワイヤレス通信デバイスからグループ向けメディアを送信することをさらに備える、［３３］に記載の方法。
［４０］
前記送信側ワイヤレス通信デバイスから受信したグループ向けメディアのタイプに基づいて、前記グループ向けメディアを前記データストアに送信すべきかどうかを判断することをさらに備える、［３４］に記載の方法。
［４１］
前記送信側ワイヤレス通信デバイスから受信したグループ向けメディアのサイズに基づいて、前記グループ向けメディアを前記データストアに送信すべきかどうかを判断することをさらに備える、［３４］に記載の方法。
［４２］
前記通信グループの前記メンバーワイヤレスデバイスのうちの少なくとも１つが前記グループ向けメディアを受信すると、前記通信グループの少なくとも１つのメンバーワイヤレス通信デバイスが前記グループ向けメディアを受信したという肯定応答を、前記グループ向けメディアを送信した前記ワイヤレス通信デバイスに送信することをさらに備える、［３３］に記載の方法。
［４３］
前記グループ向けメディアのプレビューを、前記グループ向けメディアの送信先である前記通信グループの前記メンバーワイヤレス通信デバイスのうちの少なくとも１つに送信することをさらに備える、［３３］に記載の方法。
［４４］
複数のワイヤレス通信デバイス間のグループ通信においてワイヤレス通信デバイスからのメディアを共有するための方法であって、
グループ向けメディアをワイヤレス通信デバイスから前記ワイヤレス通信デバイスの前記通信グループの他のメンバーに送信することであって、前記ワイヤレス通信デバイスが、ワイヤレス通信ネットワーク上での直接グループ通信において互いに通信するワイヤレス通信デバイスの通信グループのメンバーである、送信することと、
前記グループ向けメディアが前記通信グループの少なくとも１つのメンバーワイヤレスデバイスによって受信されたという肯定応答を受信することと
を備える方法。
［４５］
グループ向けメディアを送信することが、グラフィックメディアを送信することである、［４４］に記載の方法。
［４６］
グループ向けメディアを送信することが、ストリーミングメディアを送信することである、［４４］に記載の方法。
［４７］
グループ向けメディアを送信することが、前記ワイヤレス通信ネットワーク上の別のコンピュータデバイス上の対話型セッションへのリンクを送信することである、［４４］に記載の方法。
［４８］
ハイパーリンクを前記通信グループの前記他のメンバーワイヤレス通信デバイスに送信することをさらに備える、［４７］に記載の方法。
［４９］
前記ワイヤレス通信デバイスで前記ワイヤレス通信ネットワーク上の別のワイヤレス通信デバイスからグループ向けメディアを受信することをさらに備える、［４４］に記載の方法。
［５０］
前記グループ向けメディアを送信するより前に、通信グループ識別データを前記ワイヤレス通信デバイスからグループ通信コンピュータデバイスに送信することをさらに備える、［４４］に記載の方法。
［５１］
グループ向けメディアを送信するより前に、グループ通信コンピュータデバイスに通信グループのメンバーデータを要求することをさらに備える、［４４］に記載の方法。
［５２］
前記ワイヤレス通信ネットワーク上の別のコンピュータデバイスから前記ワイヤレス通信デバイスに送信するように要求されたグループ向けメディアのプレビューを受信することをさらに備える、［４４］に記載の方法。
［５３］
ワイヤレス通信ネットワークを介して１つまたは複数のワイヤレス通信デバイスにアクセス可能なグループ通信コンピュータデバイスであって、
通信グループのメンバーワイヤレス通信デバイスに関する情報を記憶するための手段と、
通信グループの送信側ワイヤレス通信デバイスからグループ向けメディアを受信するための手段と、
前記グループ向けメディアを前記送信側ワイヤレス通信デバイスの前記通信グループの他のメンバーワイヤレス通信デバイスに送信するための手段と
を備えるグループ通信コンピュータデバイス。